(57)【特許請求の範囲】
【請求項１】
移動地点の周辺におけるサービス及び催しを含む情報を地図上に場所とともに掲載した案内地図情報を案内地図提供装置が通信回線網を通じて提供すると共に携帯装置が取得する方法にあって、
案内地図提供装置がサービス及び催しを含む情報を、この情報変更ごとに格納するステップと、
携帯装置が自己の絶対位置を計測するステップと、
携帯装置が特定のサービス及び催しを含む情報を指定するステップと、
携帯装置が案内地図提供装置に無線回線接続するステップと、
この無線回線接続によって携帯装置が計測した絶対位置情報及び指定した特定のサービス及び催しを案内地図上に当該特定のサービス及び催しを示す番号を付した情報を案内地図提供装置に転送するステップと、
案内地図提供装置が受け取った絶対位置情報の周辺地図上における現在時刻に対応できる前記指定された特定のサービス及び催しを含む情報をデータベースから取り込むステップと、
案内地図提供装置が受け取った絶対位置情報に対応する地図情報をデータベースから取り込むステップと、
案内地図提供装置が前記指定された特定のサービス及び催しを含む情報を、地図上に当該特定のサービス及び催しを示す番号を付して前記地図情報に掲載した案内地図情報に生成するステップと、
前記案内地図情報を携帯装置に案内地図提供装置が送信するステップと、
携帯装置が、案内地図提供装置からの案内地図情報を表示すると共に前記特定のサービス及び催しを示す番号の入力により、当該前記特定のサービス及び催しの詳細内容を表示するステップと、
の各ステップを有し、
前記携帯装置は、前記携帯装置と案内地図提供装置との無線回線接続中において、携帯装置が移動し、計測による絶対位置情報が変化した際に、新たな絶対位置情報を案内地図提供装置に転送するステップを有し、
前記案内地図提供装置は、前記案内地図情報を生成するステップにおいて、最初は比較的広い表示範囲の前記案内地図情報を生成し、当該案内地図提供装置と回線接続が継続している前記携帯装置から続いて転送されてきた前記新たな絶対位置情報に基づく比較的狭い新たな表示範囲の案内地図情報を生成し送信するステップを有する、
ことを特徴とする通信ネットワークによる移動地点周辺の案内地図情報の提供取得方法。
【請求項２】
前記携帯装置が自己の絶対位置を計測するステップの次に、案内地図情報の絶対位置からの距離を含む地図上の表示範囲を指定するステップと、
案内地図提供装置が案内地図情報を生成するステップの次に、この案内地図情報を、案内地図提供装置が携帯装置から指定された絶対位置からの距離を含む地図上の表示範囲の新たな案内地図情報に生成し直すステップと、
をさらに有することを特徴とする請求項１に記載の通信ネットワークによる移動地点周辺の案内地図情報の提供取得方法。
【請求項３】
前記携帯装置が計測する自己の絶対位置情報を、衛星電波を受信して算出することを特徴とする請求項１に記載の通信ネットワークによる移動地点周辺の案内地図情報の提供取得方法。
【請求項４】
前記案内地図提供装置が受け取った絶対位置情報に対応する地図情報をデータベースから取り込むステップにおいて、前記地図情報を、二次元表示用又は三次元シミュレーションによる立体的な表示用の画像情報に生成することを特徴とする請求項１に記載の通信ネットワークによる移動地点周辺の案内地図情報の提供取得方法。
【請求項５】
前記案内地図提供装置が前記サービス及び催しを含む情報を、前記地図情報に掲載した案内地図情報に生成するステップの次に、案内地図情報におけるサービス及び催しを含む情報を音声出力及び／又は地図情報を動く画像に生成するための処理を行うステップを、さらに有することを特徴とする請求項１に記載の通信ネットワークによる移動地点周辺の案内地図情報の提供取得方法。
【請求項６】
移動地点の周辺におけるサービス及び催しを含む情報を地図上に場所とともに掲載した案内地図情報を、通信回線網を通じて提供し、携帯端末が取得する案内地図情報提供及び取得通信システムにあって、
計測した自己絶対位置情報及び指定した特定のサービス及び催しを含む情報を無線通信回線を介して転送し、転送されてきた案内地図情報を表示する携帯端末と、
サービス及び催しを含む情報を、この情報変更ごとに格納し、前記携帯端末から受け取った絶対位置情報の周辺地図上における現在時刻に対応できるデータベースから取り込んだ指定された特定のサービス及び催しを含む情報を当該特定のサービス及び催しを示す番号を付して、受け取った絶対位置情報に対応してデータベースから取り込んだ地図情報に掲載した案内地図情報を生成して前記携帯端末に転送する案内地図情報通信システムと、
前記通信端末と案内地図情報通信システムとが無線区間を含んで回線接続するための無線通信回線網と、を備え、
前記携帯装置は、前記携帯装置と案内地図提供装置との無線回線接続中において、携帯装置が移動し、計測による絶対位置情報が変化した際に、新たな絶対位置情報を案内地図提供装置に転送し、
前記案内地図提供装置は、前記案内地図情報を生成する際に、最初に比較的広い表示範囲の前記案内地図情報を生成し、当該案内地図提供装置と回線接続が継続している前記携帯装置から続いて転送されてきた前記新たな絶対位置情報に基づく比較的狭い新たな表示範囲の案内地図情報を生成し送信し、
携帯装置は、案内地図提供装置からの前記案内地図情報を表示すると共に前記特定のサービス及び催しを示す番号の入力を受けて当該前記特定のサービス及び催しの詳細内容を表示する、
ことを特徴とする通信ネットワークによる移動地点周辺の案内地図情報の提供取得システム。
【請求項７】
前記携帯端末が、移動通信を実行する携帯電話機と、衛星電波を受信し、自己絶対位置を計測して前記携帯電話機に転送するＧＰＳ装置と、を備えることを特徴とする請求項６に記載の通信ネットワークによる移動地点周辺の案内地図情報の提供取得システム。
【請求項８】
前記案内地図情報通信システムに、案内地図情報を、二次元表示用及び／又は三次元シミュレーションによる立体的な画像表示用の情報を生成して転送する転送画像処理手段と、地図情報を、音声出力用及び／又は動く画像の情報に生成して転送する転送音声画像処理手段と、を備えることを特徴とする請求項６に記載の通信ネットワークによる移動地点周辺の案内地図情報の提供取得システム。
【請求項９】
前記携帯端末に、案内地図情報通信システムから受け取った二次元表示又は三次元シミュレーションによる立体的な画像を受信表示するための受信画像処理手段と、案内地図情報通信システムから受け取った音声出力及び／又は動く画像の情報を受信表示するための音声画像処理手段と、を備えることを特徴とする請求項６に記載の通信ネットワークによる移動地点周辺の案内地図情報の提供取得システム。
【請求項１０】
前記無線通信回線網が、ＴＣＰ／ＩＰ環境下の回線網であることを特徴とする請求項６に記載の通信ネットワークによる移動地点周辺の案内地図情報の提供取得システム。
【発明の詳細な説明】
【０００１】
【発明の属する技術分野】
本発明は、移動地点の周囲における各種のサービスや催し（イベント）、広告を掲載した案内地図情報を、例えば、インターネット通信回線網上のウェブサイトから提供し、かつ、携帯電話機のユーザが取得する通信ネットワークによる移動地点周辺の案内地図情報提供及び取得方法及びその通信システム並びにプログラムに関する。
【０００２】
【従来の技術】
従来、セルラー移動電話システム（ＰＤＣ:Personal Digital Cellular Telecommunication System，ＰＨＳ:Personal Handyphone System）において、インターネットアクセスが可能な携帯電話機に対して、専用のウェブサイトから各種の情報提供が行われている。例えば、電子メール（メールマガジン）やホームページ（ＨＰ）上のバナーによる各種のサービスや催し（イベント）及び広告の情報提供が行われている。また、携帯電話専用のインターネットによる駅周辺など所望の店舗や駐車場などの紹介（情報検索による提供及び取得）も行われている。
【０００３】
このような情報検索による提供及び取得によるマーケティングでは、情報提供側が、携帯電話機のユーザに最適なサービスや催し及び広告のコンテンツ（情報内容）を提供する必要がある。いわゆる、ダイレクトマーケティングである。このため個人属性情報収集し、この個人属性情報に対応したコンテンツを電子メール（メールマガジン）で発信している。
【０００４】
この場合、より携帯電話機のユーザに適したコンテンツを発信するためには、個人の嗜好などの好みを含む精緻な個性属性情報を収集して、その個性属性情報に対応する、例えば、好みの催し（イベント）を選択して発信する必要がある。この場合、個性属性情報の収集に多大な時間と費用を要することになる。
【０００５】
また、携帯電話機のユーザは、多数提供されるサービスや催し及び広告から所望の情報を適宜選択することになる。この場合、移動地点（例えば、駅周辺や、地方出張場所の周辺）かつ現在時刻において利用可能とともに、所望の各種のサービスや催し（イベント）が容易に判明しない。
【０００６】
【発明が解決しようとする課題】
このように上記従来例では次の不便がある。
（１）情報提供側での携帯電話機のユーザに適した情報発信に多大な時間と費用を要する。
（２）携帯電話機のユーザは、移動地点の周辺かつ現在時刻で利用可能とともに、多数提供されるサービスや催し及び広告から所望の情報を容易かつ確実に選択して利用できない。
【０００７】
本発明は、このような従来の技術における課題を解決するものであり、案内地図提供側が移動地点の周辺かつ現在時刻において利用可能とともに、各種のサービスや催し（イベント）、広告などを掲載した案内地図情報を多大な時間と費用を要することなく容易に提供できる、通信ネットワークによる移動地点周辺の案内地図情報提供及び取得方法及びその通信システム及並びにプログラムの提供を目的とする。
【０００８】
また、本発明は、携帯電話機のユーザが、提供される移動地点の周囲かつ現在時刻において利用可能なサービスや催し、広告を掲載した案内地図情報から所望の情報を容易かつ確実に選択して取得できる、通信ネットワークによる移動地点周辺の案内地図情報提供及び取得方法及びその通信システム及並びにプログラムの提供を他の目的とする。
【０００９】
【課題を解決するための手段】
上記課題を解決するために、本発明は、移動地点の周辺におけるサービス及び催しを含む情報を地図上に場所とともに掲載した案内地図情報を案内地図提供装置が通信回線網を通じて提供すると共に携帯装置が取得する方法にあって、案内地図提供装置がサービス及び催しを含む情報を、この情報変更ごとに格納するステップと、携帯装置が自己の絶対位置を計測するステップと、携帯装置が特定のサービス及び催しを含む情報を指定するステップと、携帯装置が案内地図提供装置に無線回線接続するステップと、この無線回線接続によって携帯装置が計測した絶対位置情報及び指定した特定のサービス及び催しを案内地図上に当該特定のサービス及び催しを示す番号を付した情報を案内地図提供装置に転送するステップと、案内地図提供装置が受け取った絶対位置情報の周辺地図上における現在時刻に対応できる前記指定された特定のサービス及び催しを含む情報をデータベースから取り込むステップと、案内地図提供装置が受け取った絶対位置情報に対応する地図情報をデータベースから取り込むステップと、案内地図提供装置が前記指定された特定のサービス及び催しを含む情報を、地図上に当該特定のサービス及び催しを示す番号を付して前記地図情報に掲載した案内地図情報に生成するステップと、前記案内地図情報を携帯装置に案内地図提供装置が送信するステップと、携帯装置が、案内地図提供装置からの案内地図情報を表示すると共に前記特定のサービス及び催しを示す番号の入力により、当該前記特定のサービス及び催しの詳細内容を表示するステップと、の各ステップを有し、前記携帯装置は、前記携帯装置と案内地図提供装置との無線回線接続中において、携帯装置が移動し、計測による絶対位置情報が変化した際に、新たな絶対位置情報を案内地図提供装置に転送するステップを有し、前記案内地図提供装置は、前記案内地図情報を生成するステップにおいて、最初は比較的広い表示範囲の前記案内地図情報を生成し、当該案内地図提供装置と回線接続が継続している前記携帯装置から続いて転送されてきた前記新たな絶対位置情報に基づく比較的狭い新たな表示範囲の案内地図情報を生成し送信するステップを有する、ことを特徴とする通信ネットワークによる移動地点周辺の案内地図情報の提供取得方法を提供するものである。
【００１１】
本発明の方法は、前記携帯側が自己の絶対位置を計測するステップの次に、案内地図情報の絶対位置からの距離を含む地図上の表示範囲を指定するステップをさらに有し、かつ、案内地図提供側が案内地図情報を生成するステップの次に、この案内地図情報を、案内地図提供側が携帯側から指定された絶対位置からの距離を含む地図上の表示範囲の新たな案内地図情報に生成し直すステップとをさらに有することを特徴としている。
【００１３】
本発明の方法は、前記携帯側が計測する自己の絶対位置情報を、衛星電波を受信して算出することを特徴としている。
【００１４】
本発明の方法は、前記案内地図提供側が受け取った絶対位置情報に対応する地図情報をデータベースから取り込むステップにおいて、地図情報を、二次元表示用又は三次元シミュレーションによる立体的な表示用の画像情報に生成することを特徴としている。
【００１５】
本発明の方法は、前記案内地図提供側が前記サービス及び催しを含む情報を、前記地図情報に掲載した案内地図情報に生成するステップの次に、案内地図情報におけるサービス及び催しを含む情報を音声出力及び／又は地図情報を動く画像に生成するための処理を行うステップをさらに有することを特徴としている。
【００１６】
本発明は、また、移動地点の周辺におけるサービス及び催しを含む情報を地図上に場所とともに掲載した案内地図情報を、通信回線網を通じて提供し、携帯端末が取得する案内地図情報提供及び取得通信システムにあって、計測した自己絶対位置情報及び指定した特定のサービス及び催しを含む情報を無線通信回線を介して転送し、転送されてきた案内地図情報を表示する携帯端末と、サービス及び催しを含む情報を、この情報変更ごとに格納し、前記携帯端末から受け取った絶対位置情報の周辺地図上における現在時刻に対応できるデータベースから取り込んだ指定された特定のサービス及び催しを含む情報を当該特定のサービス及び催しを示す番号を付して、受け取った絶対位置情報に対応してデータベースから取り込んだ地図情報に掲載した案内地図情報を生成して前記携帯端末に転送する案内地図情報通信システムと、前記通信端末と案内地図情報通信システムとが無線区間を含んで回線接続するための無線通信回線網と、を備え、前記携帯装置は、前記携帯装置と案内地図提供装置との無線回線接続中において、携帯装置が移動し、計測による絶対位置情報が変化した際に、新たな絶対位置情報を案内地図提供装置に転送し、前記案内地図提供装置は、前記案内地図情報を生成する際に、最初に比較的広い表示範囲の前記案内地図情報を生成し、当該案内地図提供装置と回線接続が継続している前記携帯装置から続いて転送されてきた前記新たな絶対位置情報に基づく比較的狭い新たな表示範囲の案内地図情報を生成し送信し、携帯装置は、案内地図提供装置からの前記案内地図情報を表示すると共に前記特定のサービス及び催しを示す番号の入力を受けて当該前記特定のサービス及び催しの詳細内容を表示する、ことを特徴とする通信ネットワークによる移動地点周辺の案内地図情報の提供取得システムを提供するものである。
【００１８】
本発明の通信システムは、前記携帯端末が、移動通信を実行する携帯電話機と、衛星電波を受信し、自己絶対位置を計測して前記携帯電話機に転送するＧＰＳ装置とを備えることを特徴としている。
【００１９】
本発明の通信システムは、前記案内地図情報通信システムに、案内地図情報を、二次元表示用及び／又は三次元シミュレーションによる立体的な画像表示用の情報を生成して転送する転送画像処理手段と、地図情報を、音声出力用及び／又は動く画像の情報に生成して転送する転送音声画像処理手段とを備えることを特徴としている。
【００２０】
本発明の通信システムは、前記携帯端末に、案内地図情報通信システムから受け取った二次元表示、又は三次元シミュレーションによる立体的な画像を受信表示するための受信画像処理手段と、案内地図情報通信システムから受け取った音声出力及び／又は動く画像の情報を受信表示するための音声画像処理手段とを備えることを特徴としている。
【００２１】
本発明の通信システムは、前記無線通信回線網が、ＴＣＰ／ＩＰ環境下の回線網であることを特徴としている。
【００２６】
このような本発明は、案内地図提供側が移動地点の周辺かつ現在時刻において利用可能とともに、各種のサービスや催し（イベント）、広告を掲載した案内地図情報を、特に携帯側が指定した所望の情報を自動的に提供している。
【００２７】
この場合、案内地図提供側（案内地図情報通信システム）は、より携帯端末（携帯電話機）のユーザに適したコンテンツを選択して発信する必要がなくなる。すなわち、個人の嗜好などの好みを含む個性属性情報を収集して、その属性情報に対応した情報を選択（例えば、個性属性情報に合った催しの選択）して発信する必要がなくなる。つまり、従来と同様にして、その各種のサービスや催しを案内地図提供側（案内地図情報通信システム）を通じて提供すれば良くなる。
【００２８】
したがって、案内地図提供側（案内地図情報通信システム）が、現在時刻における各種のサービスや催し、広告を掲載した案内地図情報を、例えば、インターネット通信回線網上で多大な時間と費用を要することなく容易に提供できるようになる。
【００２９】
また、本発明は、携帯電話機のユーザが、移動地点の周辺かつ現在時刻において、案内地図提供側（案内地図情報通信システム）が提供する各種のサービスや催し、広告を掲載した案内地図情報から所望の情報を容易かつ確実に選択して取得できるようになる。
【００３０】
【発明の実施の形態】
次に、本発明の通信ネットワークによる移動地点周辺の案内地図情報提供及び取得方法及びその通信システム並びにプログラムの実施の形態を図面を参照して詳細に説明する。
【００３１】
図１は本発明の実施形態における通信ネットワーク構成を示す外観構成図である。
図１において、この例は、移動電話を行い、かつ、全地球方位計測システム（ＧＰＳ: Global Positioning Systems）による現在の絶対位置（緯度、経度）を計測する携帯端末１を有している。この携帯端末１は、無線区間（エアーインタフェース）でセル基地局・交換制御局（ＢＳ・ＭＣＣ）２に収容されており、慣用的な電話通話とともに、インターネット携帯電話処理によって「取得周辺情報」を表示している。
【００３２】
この「取得周辺情報」は「携帯電話機１のユーザが移動地点の周囲かつ現在時刻において利用可能なサービスや催し（イベント）、広告を掲載した案内地図情報」である。
【００３３】
さらに、この例は、セル基地局・交換制御局２とインターネットゲートウェイ（ＧＷ）３で、インターネット回線網４に接続され、また、インターネット回線網４を通じて携帯端末１へ「提供周辺情報」を送出する情報提供サイト通信システム５が接続されている。
【００３４】
なお、「提供周辺情報」は、「移動地点の周辺かつ現在時刻において利用可能とともに、所望の各種のサービス内容や催し（イベント）の日時、料金、開始終了時間等を掲載した写真、地図、説明文とともに、広告などからなる詳細情報」である。
【００３５】
ここでのインターネット回線網４は、デジタル／アナログ固定通信網（ＩＳＤＮ／ＰＳＴＮ）上にインターネットサービスプロバイダ（ＩＳＰ）が設置する図示しないインターネットワーキングフアンクション装置（ＩＷＦ）、デジタル移動電話網（ＰＤＣ方式／ＰＨＳ方式）上に携帯電話専用の表示を行うための図示しない編集サーバなどを配置した通信ネットワーク構成である。
【００３６】
情報提供サイト通信システム５は、システム制御を実行する制御サーバ６とともに、地図情報を格納した地図データベース装置７及び各種のサービスや催し、広告の、それぞれの情報を格納した情報データベース装置８とを有している。
【００３７】
また、情報提供サイト通信システム５に、各種のサービスや催し及び広告を依頼するための多数の情報提供コンピュータ９を有している。
【００３８】
なお、この地図データベース装置７及び情報データベース装置８は、情報提供サイト通信システム５と一体的に構成されているが、インターネット回線網４上に情報提供サイト通信システム５、地図データベース装置７及び情報データベース装置８を離間して配置し、かつ、双方向通信によって以降で説明する一連の処理を実行するようにしても良い。
【００３９】
図２は図１中の携帯端末１の構成を示すブロック図である。
図２において、携帯端末１は、セルラー移動電話システム（ＰＤＣ方式／ＰＨＳ方式）であり、かつ、情報提供サイト通信システム５へのアクセスを行うためのウェブブラウザ（例えば、移動通信専用のＨＴＭＬタグ記述の伝送処理）を搭載した携帯電話機１０とともに、受信地点の絶対位置情報（緯度、経度）を検出するＧＰＳ受信機３０を有している。
【００４０】
携帯電話機１０は、例えば、次のＰＤＣ方式の構成が既知である。
携帯電話機１０は、無線送受信部１１と、変調／復調部１２と、時分割／多重分離部１３と、コーデック（符号化／復号化）部１４と、送話用マイクロホン１５と受話用スピーカ１６と、例えば、周波数切替シンセサイザ制御及び受信電界強度（ＲＳＳＩ）検出を行う受信処理部１７と、マイクロプロセッサ（ＭＰＵ）１８と、着信表示発光ダイオードや液晶デスプレイなどの表示部１９と、テンキー及びその機能キーからなるキーパッド２０と、外部インタフェース（Ｉ／Ｆ）部２１と、メモリ２２とを有した構成である。
【００４１】
ＧＰＳ受信機３０は、例えば、次の構成が既知である。
ＧＰＳ受信機３０は、天空を飛翔する少なくとも３個のＧＰＳ衛星ｓａｔからのＧＰＳ電波Ｗａ，Ｗｂ，Ｗｃを受信する平面偏波無指向性受信用のアンテナ３１と、高周増幅、周波数変換、検波などを行う無線受信部３２とともに、現在絶対位置（緯度、経度）情報を算出するデジタルシグナルプロセッサ（ＤＳＰ）３３と、現在絶対位置情報の計測転送を指示する操作部３４と、文字サイズなどを変換するためのフォント回路３５と、例えば、画像データを表示データに変換するＶ−ＲＡＭ３６と、メモリ３７と、携帯電話機１０とのデータやり取りを行うインタフェース（Ｉ／Ｆ）部３８とを有した構成である。
【００４２】
なお、デジタルシグナルプロセッサ３３の処理は、同様に動作するマイクロコンピュータとプログラム（ソフトウェア）の組み合わせの構成でも実現できる。また、このＧＰＳ受信機３０は、携帯端末１に携帯電話機１０と一体的に構成しているが、携帯電話機１０にＧＰＳ受信機３０を外付けとする分離した構成でも良い。
【００４３】
図３は図１中の情報提供サイト通信システム５の構成を示すブロック図である。
図３において、この例の情報提供サイト通信システム５は、ＴＣＰ／ＩＰ（Transmission Control Protocol/Internet Protocol） を実行するＬＡＮシステムとして構築されている。
【００４４】
このＬＡＮシステムには、回線接続装置（例えば、デジタル終端接続装置／ＤＳＵ、侵入防止用のファイアウォールアプリケーションを実装したルータなど）４１を備えている。さらに、このＬＡＮシステムには、基幹的な通信処理を実行するための主コンピュータであるウェブ（Ｗｅｂ）サーバ４２と、ＦＴＰ（File Transfer Protocol）ファイル転送用のＦＴＰサーバ４３と、暗号化通信プロトコル（ＳＳＬ:Secure Sockets Layer）を実行するＳＳＬサーバ４４と、地図データベース装置７及び情報データベース装置８のリレーショナル処理などによる情報格納とともにトラッキング処理による読み出しなどを制御するためのデータベースサーバ４５とを有している。
【００４５】
なお、この情報提供サイト通信システム５は、一例としての構成であり、データ処理量が少ない場合は、ウェブサーバ４２一つに上記した情報提供サイト通信システム５全体の機能を持たせることも出来る。
【００４６】
次に、この実施形態の動作について説明する。
【００４７】
図１及び図２において、携帯端末１の携帯電話機１０は、移動電話動作を行い、かつ、ウェブブラウザ（アプリケーション）によるインターネット回線網４へのアクセスを、通信プロトコル変換（インターネットＧＷ３）及びセル基地局・交換制御局（ＢＳ・ＭＣＣ）２とのエアーインタフェース処理によって実行する。  携帯電話機１０は、例えば、ＴＤＭＡ・ＴＤＭＡ／ＴＤＤ方式（日本におけるＡＲＩＢ−２７／２８規格のＰＤＣ方式／ＰＨＳ方式）、ＣＤＭＡ方式（ＴＩＡ標準ＩＳ９５系／ＩＭＴ−２０００のＮ／Ｗ−ＣＤＭＡ等）で動作し、かつ、インターネット回線網４を通じた情報提供サイト通信システム５にウェブブラウザによってインターネット回線網４を通じた情報提供サイト通信システム５へのアクセスを実行する。
【００４８】
携帯電話機１０は、例えば、１タイムスロット／伝送速度３２ｋｂ／ｓや２タイムスロット／伝送速度３２ｋｂ／ｓ×２（６４ｋｂ／ｓ）による音声通話及びデータ通信を行う。セル基地局・交換制御局２のサービスエリア内に携帯電話機１０が移動すると、制御チャネル（ＣＣＨ）をスキャンしてモニタし、最大受信電界強度の制御チャネルを補足する。この位置登録後は、既知の発呼（発信）又は着呼（着信）に対する通信シーケンスが実行される。
【００４９】
また、携帯端末１のＧＰＳ受信機３０は、全地球方位計測（適宜、ＧＰＳ計測と記載する）システムによる現在の絶対位置（緯度、経度）を検出する。すなわち、天空を飛翔する少なくとも３個のＧＰＳ衛星ｓａｔが送信するＧＰＳ電波Ｗａ，Ｗｂ，Ｗｃを平面偏波無指向性受信用のアンテナ３及び無線受信部３２で受信して、この受信地点の絶対位置を検出する。
【００５０】
この絶対位置情報は、デジタルシグナルプロセッサ３３が、スペクトル逆拡散、距離測定、ドップラ測定、軌道データベースを処理し、これらの情報から位置計算及び移動速度方位計算を行って検出する。この現在絶対位置情報は、操作部３４の指示操作でインタフェース部３８から携帯電話機１０へ転送される。
【００５１】
なお、最初の絶対位置を検出して転送した後、換言すれば、絶対位置情報が前回値と異なった際に、自動的に携帯電話機１０に新たな絶対位置情報を転送して、以降で説明するように、連続した案内地図情報を携帯端末１が得るようにも出来る。
【００５２】
図１及び図３において、情報提供サイト通信システム５は、携帯端末１からのインターネットアクセスによる絶対位置情報を受け取って、それぞれ地図データベース装置７及び情報データベース装置８でのトラッキング処理による「提供周辺情報」を付加した案内地図情報を送出する。
【００５３】
この場合、情報提供サイト通信システム５の制御サーバ６が、移動地点での携帯端末１からの絶対位置情報（緯度、経度）を受け取り、そして、「提供周辺情報」を付加した案内地図情報をインターネット回線網４から携帯端末１へ提供するための制御を実行する。
【００５４】
この場合、制御サーバ６は、地図データベース装置７に格納している地図情報を携帯端末１からの絶対位置情報に対応させて読み出す。また、制御サーバ６は、地図データベース装置７から読み出した地図上に現在時刻において利用可能とともに、所望の各種のサービス内容や催し（イベント）の日時、料金、開始終了時間等を掲載した写真、地図、説明文とともに、広告などからなる詳細情報を情報データベース装置８の処理で添付する。このトラッキング処理では、例えば、ＳＱＬ（Structured Query Language）によるリレーショナルデータベース処理を実行している。
【００５５】
図３に示すウェブサーバ４２は、インターネット通信として周知のＴＣＰ／ＩＰによる通信接続処理、ＨＴＭＬ（HyperText Markup Language）による処理機能（文章、音声、データ圧縮によるＪＰＥＧ静止画又はＭＰＥＧ動画処理）、及びＨＴＴＰ（Hypertext Transport Protocol）によるハイパーリンク機能による転送双方向通信、ＦＴＰサーバ４３によるファイル転送、及びＣＧＩ（Common Gateway Interface）による外部アプリケーションをそれぞれに実行する。このための電子メール通信やインターネットサーフィンを行うウェブブラウザ（アプリケーション） を搭載している。
【００５６】
さらに、地図データベース装置７では、地図情報を処理するための、ビットマップ画像ファイルを保存する、例えば、ＴＩＦＦ（Tagged Image File Format）とともに、機種や使用フォントに関わらず作成時のイメージを保った精緻な地図情報や「提供周辺情報（特に写真）」「取得周辺情報」でのデータ変換が可能な、例えば、ＰＤＦ（Portable Document Format）ファイルによって高微細画像の地図情報を生成かつ処理する。
【００５７】
このような各装置は、ＴＣＰ／ＩＰリンクによって、周知のＩＰパケットによるファイル転送を双方向通信で行っている。この通信ネットワークにおけるインターネット上での転送処理は、ＨＴＴＰにおけるオブジェクト指示（クリック／マウスなどの座標入力装置によるラジオボタン、アンカー、プッシュボタン等への指示）によって実行する。この場合、ファイルフォーマットにＴＣＰコネクションの開放の伝送終了記述文字（ＦＩＮ）や伝送肯定応答文字（ＡＣＫ）などを格納し、その識別によってファイル転送を実行する。
【００５８】
図４は実施形態における全体動作の伝送手順及び処理手順を示すシーケンス・フローチャートである。
図４において、まず、情報提供コンピュータ９が携帯端末１への「提供周辺情報」にかかるコンテンツを作成する（ステップＳａ）。そして、情報提供サイト通信システム５にインターネットＧＷ３及びインターネット回線網４を通じた発呼及びアクセスによって回線接続（リンクオープン）を行い、「提供周辺情報」のコンテンツを転送する（ステップＳｂ）。
【００５９】
次に、ＧＰＳ受信機３０において絶対位置（緯度、経度）のＧＰＳ計測を行う（ステップＳ１）。さらに、この絶対位置情報の計測完了を判断し、得られた絶対位置情報を、携帯電話機１０へ操作部３４から指示し、又は自動的に転送する（ステップＳ２）。
【００６０】
また、情報提供サイト通信システム５が、情報提供コンピュータ９からの「提供周辺情報」のコンテンツの取り込みを判断し（ステップＳ３０）、情報データベース装置８に格納する（ステップＳ３１）。
【００６１】
さらに、携帯電話機１０が情報提供サイト通信システム５に対する所望情報の設定を行う。例えば、店舗購入時の得点提供、商品割り引きサービス、劇場、映画館の開催中の内容、コンサートなどのイベントのようなカテゴリーごとの所望情報（適宜、カテゴリー設定情報と記載する）を入力する（ステップＳＡ）。
【００６２】
なお、カテゴリー設定は行わないでも良い。この場合、以降で説明するように、情報提供サイト通信システム５が、移動地点の周辺かつ現在時刻において利用可能な各種のサービス内容や催し、広告を一覧的に掲載した案内地図情報を提供する。また、携帯電話機１０では、「取得周辺情報」として、カテゴリー設定による絞り込みのない案内地図情報を取得表示することになる。
【００６３】
携帯電話機１０は、ステップＳＡの後で、接続電話番号に発呼、アクセスして回線接続（リンクオープン）を行い、現在の移動地点の絶対位置情報を転送する（ステップＳＢ，ＳＣ）。
【００６４】
情報提供サイト通信システム５は、絶対位置情報の取り込みを判断し（ステップＳ３２）、この絶対位置情報の予め定められた、携帯電話機１０のユーザが自動車又は電車で移動している場合のように、広範囲の距離に対応した地図上の比較的広い範囲の「提供周辺情報」にかかるコンテンツを情報データベース装置８から取り出す。さらに、携帯電話機１０が設定した前記のカテゴリー設定によるコンテンツ（前記した情報店舗購入時の得点提供、商品割り引きサービス、劇場、映画館の開催中の内容、コンサートなどのイベントからの選択した情報）を情報データベース装置８を検索して取り出す（ステップＳ３３）。このステップＳ３３のサブルーチンの処理は、以降の図５をもって詳細に説明する。
【００６５】
なお、この比較的広い範囲から携帯電話機１０のユーザが徒歩移動の場合の距離に対応した地図上の比較的狭い範囲を指定した、その部分の拡大案内地図情報を取り出すことになる（以降で詳細に説明する）。また、携帯電話機１０から発呼、アクセス時に最初から比較的狭い範囲を指定し、その部分拡大の案内地図情報を取り出すようにしても良い。
【００６６】
次に、情報提供サイト通信システム５は、情報データベース装置８から取り込んだ携帯電話機１０の指定によるカテゴリー設定情報を抽出する。このカテゴリー設定情報に対応する範囲の地図情報を地図データベース装置７から取り出す。そして、この地図情報にカテゴリー設定情報による情報を重ね合わせて携帯電話機１０からの絶対位置情報を中心にした案内地図情報を生成する（ステップＳ３３）。この案内地図を情報提供サイト通信システム５がリンクを通じて携帯電話機１０に転送する。
【００６７】
携帯電話機１０では、案内地図の取り込みを判断し（ステップＳＤ）、この案内地図の画面表示を行う（ステップＳＥ）。そして、図６に示す表示切り替え（地図上の比較的広い範囲又は比較的狭い範囲（部分拡大））のサブルーチンとなる（ステップＳＦ）。
【００６８】
なお、ＧＰＳ受信機３０は、ＧＰＳ計測動作中かつリンク設定中に移動して、新たな絶対位置が計測された場合は、携帯電話機１０に自動的転送する（ステップＳ３）。この結果、新たな案内地図情報が携帯電話機１０に情報提供サイト通信システム５で生成されて自動的に連続転送される。また、携帯電話機１０側に搭載されているジャバ（Ｊａｖａ）プログラムを使用して、更新された絶対位置が一定時間ごとに携帯電話機１０に転送されるように設定することも出来る。
【００６９】
なお、この再度の案内地図の取り込みは、携帯電話機１０での手動操作で適宜行うようにしても良い。
【００７０】
さらに、情報提供コンピュータ９において、新たな「提供周辺情報」にかかるコンテンツが作成された場合（ステップＳｃ）、常時回線接続（リンクオープン）を通じて前記同様の処理で情報提供サイト通信システム５に転送して、新たに情報データベース装置８に格納し、又は上書きして格納する。これによって、常時、最新の「提供周辺情報」が生成されることになる。
【００７１】
次に、前記動作説明における要部を詳細に説明する。
【００７２】
図５は図４中のサブルーチンの処理手順を示すフローチャートであり、図６は図４における他のサブルーチン処理手順を示すフローチャートである。また、図７、図８、図９は実施形態におけるそれぞれ異なる表示画面例を示す図である。
【００７３】
まず、図５を参照して図４中の検索（ステップＳ３３サブルーチン）について詳細に説明する。
図５において、この図４中のステップＳ３３サブルーチンでは、情報提供サイト通信システム５が、携帯電話機１０からの絶対位置情報の取り込みを判断し（ステップＳ３３ａ）、携帯電話機１０のユーザが自動車や電車で移動している場合のように、その広範囲の距離に対応した、予め定められた地図上の比較的広い範囲の「提供周辺情報」におけるコンテンツ（情報提供コンピュータ９による提供）を情報データベース装置８から取り出して「フラグＦａ」を設定する（ステップＳ３３ｂ）。
【００７４】
次に、携帯電話機１０が設定した前記のカテゴリー設定情報の取り込みを判断し（ステップＳ３３ｃ）、次に、そのカテゴリー設定情報に対応する店舗購入時の得点提供、商品割り引きサービス、劇場、映画館の開催中の内容、コンサートなどのイベント情報を情報データベース装置８の選択検索によって取り出し「フラグＦｂ」を設定する（ステップＳ３３ｄ）。
【００７５】
そして、「フラグＦａ」「フラグＦｂ」のそれぞれの設定を判断し（ステップＳ３３ｅ）、この「フラグＦａ，Ｆｂ」の一方又は両方の情報を、地図データベース９から取り出した地図上に重ね合わせて、携帯電話機１０からの絶対位置情報を中心にした案内地図情報を生成する（ステップＳ３３ｆ）。
【００７６】
なお、この処理手順は反対でも良い。すなわち、最初に地図を読み出し、この後で「フラグＦａ，Ｆｂ」の一方又は両方の情報を重ね合わせるようにしても良い。
【００７７】
次に、図６を参照して図４中の表示切り替え（ステップＳＦサブルーチン）を詳細に説明する。
図６において、まず、情報提供サイト通信システム５から案内地図の転送を受けた携帯電話機１０では、比較的広い範囲又は狭い範囲（部分拡大）の案内地図検索処理モードの指示がキーパッド２０から行われ、その検索処理モードを判断する（ステップＳＦａ）、そして、キーパッド２０から次の（１）（２）（３）の検索条件が入力され（ステップＳＦｂ）、その検索が実行されて、このそれぞれが画面表示される（ステップＳＦｅ，ＳＦｄ）。
【００７８】
（１）図７に示す比較的広い範囲の案内地図の検索（読み出し）指示
（２）図８に示す比較的狭い範囲（部分拡大）の案内地図の検索（読み出し）指示
（３）図９に示す、読み出した案内地図上の各種サービス及び催し、広告等などの詳細内容を表示する指示
【００７９】
図７に示す（１）比較的広い範囲の案内地図は、例えば、携帯電話機１０のユーザが自動車や電車で移動している場合のような、その広範囲の移動距離に対応する、地図上の比較的広い範囲を示している。なお、この（１）比較的広い範囲の案内地図は、携帯電話機１０のユーザが出張などで、地域の地理に詳しくない場合にも利用できる。
【００８０】
この図７では、ＧＰＳ計測地点の絶対位置（緯度、経度）、すなわち、携帯電話機１０のユーザ位置が「×印」で示され、かつ、この例では、「×印」を中心とした各種のサービス及び催し、広告の実施範囲を「点線」で示している。
【００８１】
なお、この「点線」範囲の各種のサービス及び催し、広告の実施範囲は、後で説明するようにキーパッド２０（図２参照）での指示で情報提供サイト通信システム５との回線接続（リンク）を通じて新たに取り込むことも可能である。
【００８２】
次に、キーパッド２０（図２参照）での指示によって、図８に示す（２）比較的狭い範囲（部分拡大）の案内地図が表示される。この案内地図には、地図上の各所で実施されている各種サービス及び催し、広告が「その場所に番号を付し、かつ、建物や店の名称及びサービス名又は催し、広告主などの名称」を付して表示されている。この表示画面に対して前記「その場所…広告主などの名称」のオブジェクトをキーパッド２０で指示し、又は地図上の番号（数字）を入力すると、図９に示す各種サービス及び催し、広告の詳細内容が表示される。
【００８３】
ここには、前記「その場所…広告主などの名称」とともに、各種サービス及び催し、広告の詳細内容が掲載されている。なお、詳細内容の具体例については省略するが、例えば、店や建物の名称、住所、サービス及び催しの料金や期間、予約方法、現在の空き／満杯などが掲載される。
【００８４】
次に、図７から図９の表示画面切り替え例について説明する。
【００８５】
（Ａ）携帯電話機１０が情報提供サイト通信システム５から図７（１）から図９（３）の情報を一度に取り込み、その後、携帯電話機１０で選択して読み出して表示する。
【００８６】
この場合、図７（１）から図９（３）の比較的広い範囲及び比較的狭い範囲（部分拡大）並びに詳細内容を、情報提供サイト通信システム５が携帯電話機１０へ同時に転送し、これらの情報を、携帯電話機１０のメモリ２２に格納する。
【００８７】
この後、まず、図７（１）の比較的広い範囲の案内地図を表示し、次に、キーパッド２０から比較的広い範囲の案内地図上の「点線」範囲を指示し、その図８（２）の比較的狭い範囲（部分拡大）の案内地図を表示する。
【００８８】
さらに、比較的狭い範囲（部分拡大）の案内地図上の前記「その場所…広告主などの名称」のオブジェクトをキーパッド２０で指示し、又は地図上の番号（数字）を入力すると、図９に示す各種サービス及び催し、広告の詳細内容が表示される。
【００８９】
（Ｂ）携帯電話機１０が図７（１）から図９（３）の比較的広い範囲及び比較的狭い範囲（部分拡大）並び詳細内容をリンク上で順次読み出して表示する。
【００９０】
この場合、情報提供サイト通信システム５から比較的広い範囲の案内地図情報が携帯電話機１０に転送され、次に、情報提供サイト通信システム５と携帯電話機１０とのリンク上で携帯電話機１０が比較的狭い範囲の案内地図情報の要求コマンドを転送する。そして情報提供サイト通信システム５が、その比較的狭い範囲の案内地図情報を転送する。
【００９１】
さらに、比較的狭い範囲（部分拡大）の案内地図上の「番号や建物や店の名称及びサービス名又は催し名」のオブジェクトをキーパッド２０で指示し、又は地図上の番号（数字）を入力すると、情報提供サイト通信システム５が、図９に示す各種サービス及び催し、広告の詳細内容を転送し、その表示を携帯電話機１０で行う。
【００９２】
なお、上記した実施形態において、図７及び図８は二次元画面表示とともに、地図データベース装置７が格納する地図情報を三次元シミュレーションによる立体的な地図画像表示が可能である。なお、三次元シミュレーションは、３次元画像処理や３次元グラフィックスによる立体的表示として、そのデータ加工及び表示処理は既知であり、詳細な説明を省略する。
【００９３】
さらに、情報提供サイト通信システム５が、Ｗｅｂサーバ（図３参照）の「Ｊａｖｅアプレット」による案内地図情報を提供することによって、その音声及び動的な表示画面の提供も可能になる。これによって不慣れな出張場所などでの地理を、携帯端末１のユーザがより容易かつ確実に把握できるようになる。
【００９４】
なお、「Ｊａｖｅアプレット」による案内地図情報における記載文字などの音声出力及び動的画像表示の処理は既知であり、詳細説明は省略する。
【００９５】
【発明の効果】
以上の説明から明らかなように、本発明の通信ネットワークによる移動地点周辺の案内地図情報提供及び取得方法及びその通信システム及並びにプログラムによれば、案内地図提供側が移動地点の周辺かつ現在時刻において利用可能とともに、各種のサービスや催し、広告を掲載した案内地図情報を、特に携帯側が指定した所望の情報を自動的に提供している。
【００９６】
この結果、案内地図提供側が、現在時刻における各種のサービスや催し、広告を掲載した案内地図情報を携帯側に多大な時間と費用を要することなく容易に提供できるようになるという効果を有している。
【００９７】
また、本発明によれば、携帯電話機のユーザ（携帯側）が、移動地点の周辺かつ現在時刻において、案内地図提供側（案内地図情報通信システム）が提供する各種のサービスや催し、広告を掲載した案内地図情報から所望の情報を容易かつ確実に選択して取得できるようになるという効果を有している。
【図面の簡単な説明】
【図１】  本発明の実施形態における通信ネットワーク構成を示す外観構成図である。
【図２】  図１中の携帯端末の構成を示すブロック図である。
【図３】  図１中の情報提供サイト通信システムの構成を示すブロック図である。
【図４】  実施形態における全体動作の伝送手順及び処理手順を示すシーケンス・フローチャートである。
【図５】  図４中のサブルーチンの処理手順を示すフローチャートである。
【図６】  図４における他のサブルーチン処理手順を示すフローチャートである。
【図７】  実施形態における広範囲の案内地図の表示画面例を示す図である。
【図８】  実施形態における部分拡大した案内地図の表示画面例を示す図である。
【図９】  実施形態における案内地図における詳細内容説明の表示画面例を示す図である。
【符号の説明】
１  携帯端末
４  インターネット回線網
５  情報提供サイト通信システム
６  制御サーバ
７  地図データベース装置
８  情報データベース装置
９  情報提供コンピュータ
１０  携帯電話機
３０  ＧＰＳ受信機
３３  デジタルシグナルプロセッサ
４２  ウェブサーバ
【図１】
0004839420.tif 000002
【図２】
0004839420.tif 000003
【図３】
0004839420.tif 000004
【図４】
0004839420.tif 000005
【図５】
0004839420.tif 000006
【図６】
0004839420.tif 000007
【図７】
0004839420.tif 000008
【図８】
0004839420.tif 000009
【図９】
0004839420.tif 000010